(57)【要約】      （修正有）【課題】区画の明確性、陳列棚が多段であっても同一部材で対応できる調整自在性、簡易な設置性をもつ雑誌区画陳列装置の提供。【解決手段】区画の対象となる棚板が２段以上の陳列棚に所要の間隔を存して左右に配置される左側区画部材と右側区画部材からなる雑誌区画陳列装置において、その左右側区画部材を左右上半部2a,3aと左右下半部2b,3bより構成し、その左右上半部は、上段の棚板に連接する左右上半座板部2a1,3a1と、その一測縁に接続する左右上半脇板部2a2,3a2と、左右上半脇板部の前端縁に接続する左右上半連絡区画部2a3,3a3から構成し、左右下半部は、下段の棚板に連接する左右下半座板部と、その一測縁に接続する左右下半脇板部と、その前端縁に接続する左右下半連絡区画部から構成し、左右上半連絡区画部と左右下半連絡区画部2b3,3b3をスライド自在に結合してなる雑誌区画陳列装置。【選択図】図２
0003102429.tif 000002
【実用新案登録請求の範囲】
【請求項１】
区画の対象となる棚板が２段以上の陳列棚に所要の間隔を存して左右に配置される左側区画部材と右側区画部材からなる雑誌区画陳列装置において、左または右上半部と左または右下半部より構成し、その左または右上半部は、上段の棚板に連接する左または右上半座板部と、その左または右上半座板部の一測縁に接続する左または右上半脇板部と、その左または右上半脇板部の前端縁に接続し、下方に延伸する左または右上半連絡区画部から構成し、左または右下半部は、下段の棚板に連接する左または右下半座板部と、その左または右下半座板部の一測縁に接続する左または右下半脇板部と、左または右下半脇板部の前端縁に接続し、上方に延伸する左または右下半連絡区画部から構成し、左または右上半連絡区画部と左または右下半連絡区画部をスライド自在に結合してなる雑誌区画陳列装置。
【請求項２】
区画の対象となる棚板が２段以上の陳列棚に所要の間隔を存して左右に配置される左側区画部材と右側区画部材からなる雑誌区画陳列装置において、その左右側区画部材を左右上半部と左右下半部より構成し、その左右上半部は、上段の棚板に連接する左右上半座板部と、その左右上半座板部の一測縁に接続して立ち上がる左右上半脇板部を有すると共に、左右上半脇板部の前端縁に接続し、下方に延伸する左右上半連絡区画部から構成し、左右下半部は、下段の棚板に連接する左右下半座板部と、その左右下半座板部の一測縁に接続して起立する左右下半脇板部を有すると共に、左右下半脇板部の前端縁に接続し、上方に延伸する左右下半連絡区画部から構成し、左右上半連絡区画部と左右下半連絡区画部をスライド自在に結合してなる雑誌区画陳列装置。
【請求項３】
区画の対象となる棚板が２段以上の陳列棚に所要の間隔を存して左右に配置される左側区画部材と右側区画部材からなる雑誌区画陳列装置において、その左側区画部材は、左上半部と左下半部とから構成し、その左上半部は、上段の棚板に連接する左上半座板部と、その左上半座板部の一測縁に接続して立ち上がる左上半脇板部を形成して有すると共に、左上半脇板部の前端縁に接続し、下方に延伸して形成される左上半連絡区画部からなり、左下半部は、下段の棚板に連接する左下半座板部と、その左下半座板部の一測縁に接続して起立する左下半脇板部を形成して有すると共に、左下半脇板部の前端縁に接続し、上方に延伸して形成される左下半連絡区画部から構成し、その右側区画部材は、右上半部と右下半部とから構成し、その右上半部は、上段の棚板に連接する右上半座板部と、その右上半座板部の一測縁に接続して立ち上がる右上半脇板部を形成して有すると共に、右上半脇板部の前端縁に接続し、下方に延伸して形成される右上半連絡区画部からなり、右下半部は、下段の棚板に連接する右下半座板部と、その右下半座板部の一測縁に接続して起立する右下半脇板部を形成して有すると共に、右下半脇板部の前端縁に接続し、上方に延伸して形成される右下半連絡区画部から構成し、左上半連絡区画部と左下半連絡区画部を、右上半連絡区画部と右下半連絡区画部をそれぞれスライド自在に結合してなる雑誌区画陳列装置。
【請求項４】
左右上半連絡区画部と左右下半連絡区画部において、一方を板状体に、他方を管状体に形成し、それぞれをスライド自在に結合してなる請求項１、請求項２または請求項３の雑誌区画陳列装置。
【考案の詳細な説明】
【技術分野】
【０００１】
本考案は、コンビニエンスストアー等の小売販売店において、陳列棚で、特定の雑誌等の商品を他の雑誌等の商品から区分して陳列する雑誌区画陳列装置に関するものである。
【背景技術】
【０００２】
従来、書店では、陳列棚をジャンル別等に区分けする場合、棚段の前端面にジャンルを表示した表示紙を貼着し、若しくは表示板を棚枠に沿わせて縦置きしてその先端を棚板より突出させ、先端突出部に表示した文字によりジャンルを表示していた。
【特許文献１】特願２０００−３２５１６２号公報
【考案の開示】
【考案が解決しようとする課題】
【０００３】
一般用の書籍の棚を区画するために、ブックエンドが用いられ、上下端に磁石を設けたものが、特願２０００−３２５１６２号公報に開示されている。
コンビニエンスストアー等の小売販売店では、専用棚を設置するほどに特定の雑誌等の商品の数が多くなく、また、棚の一部を前記従来の区分装置で行った場合、その区分に特異性か無く、区分が不明瞭であった。
【０００４】
そこで、本考案では、第１に区分の明確性、第２に棚が多段であっても同一部材で対応できる調整自在性、第３に簡易な設置性を目的に開発されたものである。
【課題を解決するための手段】
【０００５】
区画の対象となる棚板が２段以上の陳列棚に所要の間隔を存して左右に配置される左側区画部材と右側区画部材からなる雑誌区画陳列装置において、左または右上半部と左または右下半部より構成し、その左または右上半部は、上段の棚板に連接する左または右上半座板部と、その左または右上半座板部の一測縁に接続する左または右上半脇板部と、その左または右上半脇板部の前端縁に接続し、下方に延伸する左または右上半連絡区画部から構成し、左または右下半部は、下段の棚板に連接する左または右下半座板部と、その左または右下半座板部の一測縁に接続する左または右下半脇板部と、左または右下半脇板部の前端縁に接続し、上方に延伸する左または右下半連絡区画部から構成し、左または右上半連絡区画部と左または右下半連絡区画部をスライド自在に結合してなる雑誌区画陳列装置にある。
【０００６】
区画の対象となる棚板が２段以上の陳列棚に所要の間隔を存して左右に配置される左側区画部材と右側区画部材からなる雑誌区画陳列装置において、その左右側区画部材を左右上半部と左右下半部より構成し、その左右上半部は、上段の棚板に連接する左右上半座板部と、その左右上半座板部の一測縁に接続して立ち上がる左右上半脇板部を有すると共に、左右上半脇板部の前端縁に接続し、下方に延伸する左右上半連絡区画部から構成し、左右下半部は、下段の棚板に連接する左右下半座板部と、その左右下半座板部の一測縁に接続して起立する左右下半脇板部を有すると共に、左右下半脇板部の前端縁に接続し、上方に延伸する左右下半連絡区画部から構成し、左右上半連絡区画部と左右下半連絡区画部をスライド自在に結合してなる雑誌区画陳列装置としてもよいものである。
【０００７】
区画の対象となる棚板が２段以上の陳列棚に所要の間隔を存して左右に配置される左側区画部材と右側区画部材からなる雑誌区画陳列装置において、その左側区画部材は、左上半部と左下半部とから構成し、その左上半部は、上段の棚板に連接する左上半座板部と、その左上半座板部の一測縁に接続して立ち上がる左上半脇板部を形成して有すると共に、左上半脇板部の前端縁に接続し、下方に延伸して形成される左上半連絡区画部からなり、左下半部は、下段の棚板に連接する左下半座板部と、その左下半座板部の一測縁に接続して起立する左下半脇板部を形成して有すると共に、左下半脇板部の前端縁に接続し、上方に延伸して形成される左下半連絡区画部から構成し、その右側区画部材は、右上半部と右下半部とから構成し、その右上半部は、上段の棚板に連接する右上半座板部と、その右上半座板部の一測縁に接続して立ち上がる右上半脇板部を形成して有すると共に、右上半脇板部の前端縁に接続し、下方に延伸して形成される右上半連絡区画部からなり、右下半部は、下段の棚板に連接する右下半座板部と、その右下半座板部の一測縁に接続して起立する右下半脇板部を形成して有すると共に、右下半脇板部の前端縁に接続し、上方に延伸して形成される右下半連絡区画部から構成し、左上半連絡区画部と左下半連絡区画部を、右上半連絡区画部と右下半連絡区画部を、それぞれスライド自在に結合してなる雑誌区画陳列装置としてもよいものである。
【０００８】
左右側区画部材の左右上半部に構成する左右上半連絡区画部と、左右側区画部材の左右下半部に構成する左右下半連絡区画部において、一方を板状体に、他方を管状体に形成し、それぞれをスライド自在に結合してもよいものである。
【考案の効果】
【０００９】
本考案の雑誌区画陳列装置は、第１に区分の明確性、第２に棚が多段であっても同一部材で対応できる調整自在性、第３に簡易な設置性を目的を達成できるものである。
【考案を実施するための最良の形態】
【００１０】
区画の対象となる棚板が２段以上の陳列棚に所要の間隔を存して左右に配置される左側区画部材と右側区画部材からなる雑誌区画陳列装置において、その左側区画部材は、左上半部と左下半部とから構成し、その左上半部は、上段の棚板に連接する左上半座板部と、その左上半座板部の一測縁に接続して立ち上がる左上半脇板部を形成して有すると共に、左上半脇板部の前端縁に接続し、下方に延伸して帯状板体に形成する左上半連絡区画部からなり、左下半部は、下段の棚板に連接する左下半座板部と、その左下半座板部の一測縁に接続して起立する左下半脇板部を形成して有すると共に、左下半脇板部の前端縁に接続し、上方に延伸して管状体に形成する左下半連絡区画部から構成し、その右側区画部材は、右上半部と右下半部とから構成し、その右上半部は、上段の棚板に連接する右上半座板部と、その右上半座板部の一測縁に接続して立ち上がる右上半脇板部を形成して有すると共に、右上半脇板部の前端縁に接続し、下方に延伸して帯状板体に形成する右上半連絡区画部からなり、右下半部は、下段の棚板に連接する右下半座板部と、その右下半座板部の一測縁に接続して起立する右下半脇板部を形成して有すると共に、右下半脇板部の前端縁に接続し、上方に延伸して管状体に形成する右下半連絡区画部から構成し、左上半連絡区画部と左下半連絡区画部を、右上半連絡区画部と右下半連絡区画部をそれぞれスライド自在に結合してなる雑誌区画陳列装置。
【実施例】
【００１１】
以下、この考案の雑誌区画陳列装置を、図面に示す実施例の雑誌区画陳列装置１により説明すると、図２に示すように、左側区画部材２と右側区画部材３より構成し、区画の対象となる陳列棚、例えば、２段の棚板６ａ、６ｂを備える陳列棚６との関係では、その左側区画部材２は、左上半部２ａと左下半部２ｂとから構成され、そして、左上半部２ａは、上段の棚板６ａに連接する左上半座板部２ａ１と、その左上半座板部２ａ１の一測縁に接続して立ち上がる左上半脇板部２ａ２を形成して有すると共に、左上半脇板部２ａ２の前端縁に接続し、下方に延伸して形成される左上半連絡区画部２ａ３からなる。左下半部２ｂは、下段の棚板６ｂに連接する左下半座板部２ｂ１と、その左下半座板部２ｂ１の一測縁に接続して起立する左下半脇板部２ｂ２を形成して有すると共に、左下半脇板部２ｂ２の前端縁に接続し、上方に延伸して形成される左下半連絡区画部２ｂ３からなる。
【００１２】
実施例では、前記左上半連絡区画部２ａ３は帯状平板体に形成され、前記左下半部２ｂの左下半連絡区画部２ｂ３は管状体に形成され、左上半連絡区画部２ａ３は左下半連絡区画部２ｂ３に嵌入し、その全長内で伸縮自在に結合している。図示しないが、左上半連絡区画部２ａ３が管状体に形成され、左下半連絡区画部２ｂ３が帯状平板体に形成されてもよいものである。そして、機能的には、両者がその全長内で伸縮自在に結合していればよいわけであるから、その帯状平板体と管状体に形状が限定されるわけではない。
【００１３】
実施例では、左上半座板部２ａ１と左上半脇板部２ａ２は、一体に形成しても、成形後に折曲しても、また、それぞれ別個に成形した後、接着材で接着接続しても、リベット等の接続手段により接続してもよいものである。
また、左上半脇板部２ａ２と左上半連絡区画部２ａ３の接続は、図示のように、同時に成形しても別個に成形した後、接着材で接着接続しても、リベット等の接続手段により接続してもよいものである。
【００１４】
実施例では、左下半座板部２ｂ１と左下半脇板部２ｂ２は、同じく、一体に形成しても、成形後に折曲しても、また、それぞれ別個に成形した後、接着材で接着接続しても、リベット等の接続手段により接続してもよいものである。
また、実施例では、左下半脇板部２ｂ２と左下半連絡区画部２ｂ３の接続は、図示のように、別個に成形した後、リベット４、４により固着しているが、接着材で接着接続しても、また、超音波溶融接着の接続手段により接続してもよいものである。
【００１５】
その右側区画部材３は、左側区画部材２と同様に、右上半部３ａと右下半部３ｂとから構成され、そして、右上半部３ａは、上段の棚板６ａに連接する右上半座板部３ａ１と、その右上半座板部３ａ１の一測縁に接続して立ち上がる右上半脇板部３ａ２を形成して有すると共に、右上半脇板部３ａ２の前端縁に接続し、下方に延伸して形成される右上半連絡区画部３ａ３からなる。右下半部３ｂは、下段の棚板６ｂに連接する右下半座板部３ｂ１と、その右下半座板部３ｂ１の一測縁に接続して起立する右下半脇板部３ｂ２を形成して有すると共に、右下半脇板部３ｂ２の前端縁に接続し、上方に延伸して形成される右下半連絡区画部３ｂ３からなる。
【００１６】
実施例では、同じく、左側区画部材２と同様に、前記右上半部連絡区画板部３ａ３は帯状平板体に形成され、前記右下半連絡区画部３ｂ３は管状体に形成され、右上半連絡区画部３ａ３は右下半連絡区画部３ｂ３に嵌入し、その全長内で伸縮自在に結合している。
また、右上半部３ａの右上半座板部３ａ１と、右上半脇板部３ａ２と、右上半連絡区画部３ａ３の接続構成および右下半部３ｂの右下半座板部３ｂ１と、右下半脇板部３ｂ２と、右下半連絡区画部３ｂ３の接続構成に関しても、それぞれ前記左側区画部材２と同様に構成してもよいものである。
【００１７】
前記左側区画部材２における左上半部２ａの左上半座板部２ａ１と、左下半部２ｂの左下半座板部２ｂ１と、前記右側区画部材３における右上半部３ａの右上半座板部３ａ１と、右下半部３ｂの右下半座板部３ｂ１におけるそれぞれの下面には、マグネット板５が貼着している。ここでのマグネット板５は、ゴム板に磁性材を練り込んで板状に成形した後、磁化したものが使用されている。しかし、機能としては、陳列棚６の鉄板製の棚板６ａ、６ｂに吸着して定置を維持しようとする固着力と、移動しない適度の摩擦力があればよく、この素材に限定するものではない。
【００１８】
図示しないが、前記マグネット板５は感圧性接着剤によってもよいものである。
【００１９】
この考案の実施例の雑誌区画陳列装置１は、前述のように構成されるから、例えば、図４に示すように、陳列棚６では、２段の棚板６ａ、６ｂの上下の間隔に適合して、左側区画部材２における左上半部２ａの左上半座板部２ａ１および左下半部２ｂの左下半座板部２ｂ１との間隔、および右側区画部材３における右上半部３ａの右上半座板部３ａ１と右下半部３ｂの右下半座板部３ｂ１との間隔をそれぞれ広げ、それぞれの対応する下面を棚板６ａと棚板６ｂに接面し、また、そのとき、左側区画部材２の左上半連絡区画部２ａ３と左下半連絡区画部２ｂ３と、右側区画部材３の右上半部連絡区画板部３ａ３と右下半連絡区画部３ｂ３をそれぞれ棚板６ａの前端の外側に対応して配置し、陳列棚６の左側部分を相互の左右間隔だけ他の部分から区画するものである。
【００２０】
図５は、３段の棚板６ａ、６ｂ、６ｃの陳列棚７に設置する場合の実施例を示すもので、その棚板６ａと棚板６ｃの上下の間隔に適合して、左側区画部材２における左上半部２ａの左上半座板部２ａ１および左下半部２ｂの左下半座板部２ｂ１との間隔、および右側区画部材３における右上半部３ａの右上半座板部３ａ１と右下半部３ｂの右下半座板部３ｂ１との間隔をそれぞれ広げ、それぞれの対応する下面を棚板６ａと棚板６ｃに接面し、また、そのとき、左側区画部材２の左上半連絡区画部２ａ３と左下半連絡区画部２ｂ３と、右側区画部材３の右上半部連絡区画板部３ａ３と右下半連絡区画部３ｂ３をそれぞれ棚板６ａ、６ｂ、６ｃの前端の外側に対応して配置し、陳列棚７の左側部分を相互の左右間隔だけ他の部分から区画するものである。
【００２１】
この考案の実施例の雑誌区画陳列装置１における左右側区画部材２、３の左右上半連絡区画部２ａ３、３ｂ３および左右下半連絡区画部２ｂ３、３ｂ３は、スライド自在に結合しているから、棚板６ａ、６ｂの２段の陳列棚６および棚板６ａ、６ｂ、６ｃの３段の陳列棚７であっても容易に調整して適合させることができ、上段側の棚板６ａと下段側の棚板６ｂまたは６ｃのセッティングでは、左右上半部２ａ、３ａの左右上半座板部２ａ１、３ａ１と、左右下半座板部２ｂ１、３ｂ１には、マグネット板５が貼着されるから棚板６ａおよび６ｂまたは６ｃに接面するだけで吸着し、その上に積載される雑誌の重量で押え付ける２重の作用で横にずれることがなく、定置させるものである。
【００２２】
また、左右上半座板部２ａ１、３ａ１と、左右下半座板部２ｂ１、３ｂ１とには、それぞれ左右上半脇板部２ａ２、３ａ２と、左右下半脇板部２ｂ２、３ｂ２が一測縁に接続して起立するから、それぞれの内側に特定区分の雑誌８を載置し、その区画から他区分の雑誌９を完全に区分し、他区分の雑誌９を混同させることがないのである。
【産業上の利用可能性】
【００２３】
この考案の雑誌区画陳列装置は、既存の陳列棚の一部を容易に、かつ完全に区画することができ、他から区別して陳列することができ、ジャンル別販売の明確化に寄与するものである。
【図面の簡単な説明】
【００２４】
【図１】この考案の雑誌区画陳列装置の実施例の正面図である。
【図２】同じく、この考案の雑誌区画陳列装置を各部単体に分解し各部単体を上方から見た斜視図である。
【図３】同じく、この考案の雑誌区画陳列装置を各部単体に分解し各部単体を下方から見た斜視図である。
【図４】棚板が２段の陳列棚に使用した場合の使用状態を示す説明斜視図である。
【図５】棚板が３段の陳列棚に使用した場合の使用状態を示す説明斜視図である。
【符号の説明】
【００２５】
１  雑誌区画陳列装置
２  左側区画部材
２ａ  左上半部
２ａ１  左上半座板部
２ａ２  左上半脇板部
２ａ３  左上半連絡区画部
２ｂ  左下半部
２ｂ１  左下半座板部
２ｂ２  左下半脇板部
２ｂ３  左下半連絡区画部
３  右側区画部材
３ａ  右上半部
３ａ１  右上半座板部
３ａ２  右上半脇板部
３ａ３  右上半連絡区画部
３ｂ  右下半部
３ｂ１  右下半座板部
３ｂ２  右下半脇板部
３ｂ３  右下半連絡区画部
４  リベット
５  マグネット板
６  陳列棚
６ａ  棚板
６ｂ  棚板
６ｃ  棚板
７  陳列棚
８  特定区分の雑誌
９  他区分の雑誌
【図１】
0003102429.tif 000003
【図２】
0003102429.tif 000004
【図３】
0003102429.tif 000005
【図４】
0003102429.tif 000006
【図５】
0003102429.tif 000007